(57)【特許請求の範囲】
【請求項１】
板ガラスで構成されたガラス壁に対して控え壁状に交わらせてリブ板ガラスが配置してあり、前記ガラス壁と前記リブ板ガラスとを、固定部材で一体連結してある板ガラスの支持構造において、
前記リブ板ガラスは、複数枚のリブ単位板ガラスを厚み方向に並設した合せガラスで構成してあり、前記固定部材は、複数枚の前記リブ単位板ガラスの対向面間を通して、一端側を前記ガラス壁に、他端側を前記リブ板ガラスに取り付けてある板ガラスの支持構造。
【請求項２】
前記固定部材は、リブ単位板ガラス間に配置した筒部材の中を挿通させてある請求項１に記載の板ガラスの支持構造。
【発明の詳細な説明】
【技術分野】
【０００１】
本発明は、板ガラスで構成されたガラス壁に対して控え壁状に交わらせてリブ板ガラスが配置してあり、前記ガラス壁と前記リブ板ガラスとを、固定部材で一体連結してある板ガラスの支持構造に関する。
【背景技術】
【０００２】
従来、この種の板ガラスの支持構造に使用する固定部材２０は、図５に示すように、一端部にガラス壁Ｗへの第１取付部２１を設け、他端部に一枚のリブ板ガラスＲの外周をハチマキ状に取り囲んで支持する第２取付部２２を設けて構成してあるものがあった。
そして、この固定部材２０を使用した板ガラスの支持構造は、図に示すように、第１取付部２１は、ガラス壁Ｗを貫通して挟持固定する状態に取り付けられ、第２取付部２２は、一枚のリブ板ガラスＲの外周部を囲繞する状態に取り付けられ、この固定部材２０によって、ガラス壁Ｗとリブ板ガラスＲとが一体に連結されている（例えば、特許文献１参照）。
【０００３】
【特許文献１】特開平１０−２３１５７１号公報（図１〜３）
【発明の開示】
【発明が解決しようとする課題】
【０００４】
ガラス壁に作用する外力を支持できるようにリブを設ける場合、そのリブは、強度的な観点を主に考えると金属で構成するのが好ましいとされることが多いが、あえてガラス壁と同質の材料を使用することによって、意匠性の向上を図ることが可能となっており、当該板ガラスの支持構造においても、補強リブは、リブ板ガラスによって構成されている。
そして、上述した従来の板ガラスの支持構造によれば、第１取付部のみならず、第２取付部も露出する状態に配置されており、特に、第２取付部は、意匠性の向上を目ざして板ガラスで構成されているリブ板ガラスの外周部をハチマキ状に取り囲むことになり、少なからず意匠性が低下する問題点がある。
【０００５】
従って、本発明の目的は、上記問題点を解消し、板ガラスの良好な意匠性を損なうことなく、ガラス壁とリブ板ガラスとを確実な状態に固定することができる板ガラスの支持構造を提供するところにある。
【課題を解決するための手段】
【０００６】
本発明の第１の特徴構成は、板ガラスで構成されたガラス壁に対して控え壁状に交わらせてリブ板ガラスが配置してあり、前記ガラス壁と前記リブ板ガラスとを、固定部材で一体連結してある板ガラスの支持構造において、前記リブ板ガラスは、複数枚のリブ単位板ガラスを厚み方向に並設した合せガラスで構成してあり、前記固定部材は、複数枚の前記リブ単位板ガラスの対向面間を通して、一端側を前記ガラス壁に、他端側を前記リブ板ガラスに取り付けてあるところにある。
【０００７】
本発明の第１の特徴構成によれば、固定部材の大部分は、複数枚のリブ単位板ガラス間に収まった状態となり、リブ板ガラスの外周に大きく露出するのを防止できる。
従って、固定部材が外観上目立つことによる違和感を緩和することができ、ガラス壁やリブ板ガラスそのものの姿を壊すことなく最大限に利用して、板ガラス支持構造としての良好な意匠性を得ることが可能となる。
また、複数枚のリブ単位板ガラスを使用するから、単板のリブ板ガラスで構成してある従来技術に比べてリブ板ガラスの強度アップを図ることができ、ガラス壁とリブ板ガラスとの確実な固定を実現することが可能となる。
【０００８】
【０００９】
また、複数のリブ単位板ガラスを使用しながらも、全体的には、中間膜層によって、より一体性の高いリブ板ガラスを構成することが可能となる。
そして、その一体性の高いリブ板ガラスのリブ単位板ガラスどうしの対向面間に固定部材が配置されているから、固定部材とリブ板ガラスとの保持力も高く期待することができ、固定性能の向上を図ることができる。
【００１０】
本発明の第２の特徴構成は、前記固定部材は、リブ単位板ガラス間に配置した筒部材の中を挿通させてあるところにある。
【００１１】
本発明の第２の特徴構成によれば、固定部材とリブ単位板ガラスとの間には、前記筒部材が介在しているから、例えば、ガラス壁に作用した外力によって撓みが生じ、リブ板ガラスと固定部材とが動くような場合でも、固定部材がリブ単位板ガラスに直接に接触して傷付けることを防止することができる。
【発明を実施するための最良の形態】
【００１２】
以下に本発明の実施の形態を図面に基づいて説明する。尚、図面において従来例と同一の符号で表示した部分は、同一又は相当の部分を示している。
【００１３】
図１〜３は、本発明の板ガラスの支持構造の一実施形態を示すもので、例えば、間仕切りや外壁等を、ガラス壁Ｗで構成してあり、そのガラス壁Ｗに対して控え壁状にリブ板ガラスＲを配置して両者を固定部材１で一体連結してある。
尚、図には示さないが、ガラス壁Ｗの外周縁部や、リブ板ガラスＲの上下端部は、それぞれ、ガラス壁Ｗに作用する外力を支持できる状態に建物側に支持されている。
【００１４】
前記ガラス壁Ｗは、複数枚の板ガラス２を、それぞれの表面が壁面に沿うように並設して構成してある。当該実施形態においては、前記板ガラス２は、第１ガラス板２ａと、第２ガラス板２ｂとの対向面間に隙間２ｃをあけて並設してある複層ガラスによって構成したものを例に挙げて説明する（図３参照）。
【００１５】
前記板ガラス２を構成する複層ガラスは、第１ガラス板２ａと第２ガラス板２ｂとの外周部間にスペーサ３を全周にわたって介在させると共に、外縁シール材４を設けて、前記隙間２ｃの密閉を図った複層ガラスとして構成されている。
また、隣接させる複層ガラス間の目地部Ｊには、目地シール材５が全長にわたって設けられている。
そして、この目地部Ｊの裏側には、構造シール部６を介して前記リブ板ガラスＲが控え壁状に配置されている。
【００１６】
前記リブ板ガラスＲは、縦長の帯形状に成形された合せガラスで構成してある。
即ち、複数枚のリブ単位板ガラス７を厚み方向に並設して構成してあり、当該実施形態においては、第３ガラス板（リブ単位板ガラス７に相当）７ａと第４ガラス板（リブ単位板ガラス７に相当）７ｂとを中間膜層８を介して一体化して構成されている（図２参照）。
このリブ板ガラスＲは、前記ガラス壁Ｗに作用する風圧等の外力を、幅方向に作用する荷重として支持し、前記ガラス壁Ｗの撓み変形の抑制を図ることができるように構成されている。
尚、リブ板ガラスＲにおいて前記固定部材１を取り付ける個所には、固定部材１を挿通自在なアルミニウム製の角筒部材９を、両リブ単位板ガラス７間に、リブ板ガラス幅方向に長手方向を向けて設けてある。この角筒部材９は、前記中間膜層８の厚み内に収まる外径寸法に形成してある（図２参照）。
そして、リブ板ガラスＲに対する前記固定部材１の設置位置は、縦方向に間隔をあけた複数個所に設定されている。
【００１７】
前記固定部材１は、ガラス壁Ｗとリブ板ガラスＲとを、ガラス壁Ｗの厚み方向に挟持する状態で両者を一体連結できるように構成されており、前記ガラス壁Ｗの表面に沿って配置される第１挟持部１Ａと、前記リブ板ガラスＲの前記ガラス壁Ｗ側とは反対側の端縁部に沿って配置される第２挟持部１Ｃと、第１挟持部１Ａと第２挟持部１Ｃとを連結する連結部１Ｂとを備えて構成してある。
【００１８】
具体的には、図３に示すように、前記第１挟持部１Ａは、縦に細長い金属板材（例えば、ステンレス鋼製）で構成してあり、この第１挟持部１Ａの幅寸法は、目地部Ｊの幅寸法より大きく設定してあり、目地部Ｊの両側方の第１ガラス板２ａと第２ガラス板２ｂとにそれぞれ対向して挟持できるように構成されている。
また、第１挟持部１Ａの裏面部のほぼ中央部分に、前記連結部１Ｂの一端部が溶接によって固着されている。
尚、固定部材１の設置の際には、第１挟持部１Ａとガラス壁Ｗとの間には、構造シール部１０が設けられる。
【００１９】
前記連結部１Ｂは、金属帯板（例えば、ステンレス鋼製）で構成してあり、前記リブ板ガラスＲに設けられた角筒部材９に挿通自在な寸法に形成してある。
一端部は、上述の通り、前記第１挟持部１Ａの裏面に固着されており、他端部には、前記第２挟持部１Ｃを固定するためのボルト挿通孔１１が設けてある。
【００２０】
前記第２挟持部１Ｃは、前記連結部１Ｂの他端部を挟み込む二つの分割部材で構成され、この両者は、連結ボルト１２によって連結されている。また、この連結ボルト１２は、両分割部材間に配置した前記連結部１Ｂのボルト挿通孔１１を貫通することで第２挟持部１Ｃと連結部１Ｂとを連結している。
【００２１】
以上のように、固定部材１は、ガラス壁Ｗの目地部Ｊの表面に、第１挟持部１Ａが位置すると共に、目地部Ｊ、及び、リブ板ガラスＲの角筒部材９を貫通する状態に前記連結部１Ｂが位置し、リブ板ガラスＲの端縁部に突出した連結部１Ｂに前記第２挟持部１Ｃが固定されることで、ガラス壁Ｗとリブ板ガラスＲを表裏から挟持する状態に一体化を図っている。
【００２２】
本実施形態の板ガラスの支持構造によれば、固定部材１の大部分は、２枚のリブ単位板ガラス７間に収まった状態となり、リブ板ガラスＲの外周に大きく露出するのを防止でき、固定部材１が外観上目立つことによる違和感を緩和して、ガラス壁Ｗやリブ板ガラスＲそのものの姿を壊すことなく最大限に利用して、板ガラス支持構造としての良好な意匠性を得ることが可能となる。
また、２枚のリブ単位板ガラス７を使用するから、単板のリブ板ガラスで構成してある従来技術に比べてリブ板ガラスＲの強度アップを図ることができ、ガラス壁Ｗとリブ板ガラスＲとの確実な固定を実現することが可能となる。
【００２３】
〔別実施形態〕
以下に他の実施の形態を説明する。
【００２４】
〈１〉  当該板ガラスの支持構造の対象となるガラス壁Ｗは、先の実施形態で説明した複数枚の複層ガラスで構成されたものに限るものではなく、例えば、単一の複層ガラスで構成したものであってもよく、その数には、任意に設定することができる。また、ガラス壁Ｗを構成する板ガラス２は、複層ガラスに限るものではなく、例えば、単板の板ガラスであったり、合せガラスであったり、他の板ガラスであってもよい。
また、リブ板ガラスＲに関しても、先の実施形態で説明した２枚のリブ単位ガラス７で構成された合せガラスに限るものではなく、３枚以上の枚数のリブ単位ガラス７で形成された合せガラスであってもよい。
〈２〉  リブ単位ガラス間に介在させた前記筒部材９は、先の実施形態で説明した角筒部材に限るものではなく、例えば、円筒部材であってもよく、それらを総称して筒部材と云う。また、筒部材の材質に関しては、金属に限るものではなく、例えば、ガラスであったり、合成樹脂であってもよい。更には、固定部材１を挿通させる空間をリブ単位ガラス間に確保できれば、筒部材９を設けないこともある。
〈３〉  固定部材１は、先の実施形態で説明した形状や材質や部品構成に限るものではなく、適宜変更が可能である。要するに、固定部材１は、複数枚のリブ単位板ガラス７の対向面間を通して、一端側をガラス壁Ｗに、他端側をリブ板ガラスＲに取り付けて、ガラス壁Ｗとリブ板ガラスＲとを連結できるものであればよい。
先の実施形態と異なる形態の固定部材の一例を示すと、図４に示すものが挙げられる。
この実施形態によれば、先の実施形態で説明した第１挟持部１Ａに相当する部品は、ガラス壁Ｗを表裏から挟持固定する一対の挟持板１３と連結ネジ部材１４とで構成され、連結部１Ｂに相当する部品は、上下一対のテンションワイヤ１５で構成され、第２挟持部１Ｃに相当する部品は、リブ板ガラスＲの後端面に接当する挟持板１６で構成されている。そして、前記テンションワイヤ１５は、挟持板１３と挟持板１６とにわたって架設され、アンカーグリップ１７によって定着されている。
尚、中間膜層８における両テンションワイヤ１５の設置位置には、テンションワイヤ１５を挿通自在なシース（筒部材９に相当）１８が予め設置してある。
この実施形態においても、固定部材１が外観上目立つことによる違和感を緩和して、ガラス壁Ｗやリブ板ガラスＲそのものの姿を壊すことなく最大限に利用して、板ガラス支持構造としての良好な意匠性を得ることが可能となる。
【００２５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２６】
【図１】板ガラスの支持構造を示す要部斜視図
【図２】ガラス壁とリブ板ガラスとの取付状態を示す分解斜視図
【図３】ガラス壁とリブ板ガラスとの取付状態を示す上面視断面図
【図４】別実施形態のガラス壁とリブ板ガラスとの取付状態を示す即面視断面図
【図５】従来のガラス壁とリブ板ガラスとの取付状態を示す分解斜視図
【符号の説明】
【００２７】
１      固定部材
２      板ガラス
７      リブ単位板ガラス
９      角筒部材（筒部材に相当）
Ｒ      リブ板ガラス
Ｗ      ガラス壁
【図１】
0005161635.tif 000002
【図２】
0005161635.tif 000003
【図３】
0005161635.tif 000004
【図４】
0005161635.tif 000005
【図５】
0005161635.tif 000006